(57)【要約】【課題】本発明の課題は、コスト及び消費電力の増加を抑えながらも電流のひずみを低減できる点灯装置及び照明器具を提供することである。【解決手段】点灯装置１０は、点灯ブロック２０を備える。点灯ブロック２０は、整流部２１と、力率改善部２２と、変換部２３と、制御部２４と、を有する。整流部２１は、交流電源４０の交流電圧を整流する。力率改善部２２は、点灯ブロック２０に流れる電流の波形が正弦波に近付くように整流部２１の出力電圧の波形を整形する。変換部２３は、力率改善部２２の出力電圧を直流電圧に変換して出力する。制御部２４は、変換部２３から出力された直流電圧により光源２５を点灯させる。力率改善部２２は、更に、交流電源４０に点灯ブロック２０と並列に接続された回路ブロックに交流電源４０から電流Ｉ３０が流れている所定期間の間、点灯ブロック２０に流れる電流Ｉ２０を低下させる機能を有する。【選択図】  図１
2018170135.tif 000002
【特許請求の範囲】
【請求項１】
交流電源からの電力により光源を点灯させる点灯ブロックを備え、
前記点灯ブロックは、
前記交流電源の交流電圧を整流する整流部と、
前記点灯ブロックに流れる電流の波形が正弦波に近付くように前記整流部の出力電圧の波形を整形する力率改善部と、
前記力率改善部の出力電圧を直流電圧に変換して出力する変換部と、
前記変換部から出力された直流電圧により前記光源を点灯させる制御部と、
を有し、
前記力率改善部は、前記交流電源に前記点灯ブロックと並列に接続された回路ブロックに前記交流電源から電流が流れている所定期間の間、前記点灯ブロックに流れる電流を低下させる機能を有する、
点灯装置。
【請求項２】
前記力率改善部は、
前記整流部の出力電圧に比例する検出電圧に基づいて、前記点灯ブロックに流れる電流の波形が正弦波に近付くように前記整流部の出力電圧の波形を整形する波形整形回路と、
前記所定期間の間、前記検出電圧を変化させることで前記点灯ブロックに流れる電流を低下させる電圧シフト回路と、
を有する、
請求項１の点灯装置。
【請求項３】
前記回路ブロックとして、前記交流電源からの電力により動作して前記点灯ブロックを制御する制御ブロックを更に備え、
前記制御ブロックは、前記交流電源からの電力により前記制御ブロックの動作電圧を生成する電源部を有し、
前記電源部は、前記交流電源の交流電圧を整流して得られる電圧を平滑化するコンデンサを有し、
前記所定期間は、前記交流電源からの電流が前記コンデンサに流れている期間である、
請求項１又は２の点灯装置。
【請求項４】
前記所定期間を特定するための期間情報を記憶する記憶部を更に備え、
前記力率改善部は、前記記憶部に記憶された期間情報に基づいて、前記所定期間を特定するように構成される、
請求項１〜３のいずれか一つの点灯装置。
【請求項５】
前記制御ブロックは、前記交流電源から前記コンデンサに流れる電流を検出する検出部を更に有し、
前記力率改善部は、前記検出部で前記電流が検出されている期間に基づいて、前記所定期間を特定するように構成される、
請求項３の点灯装置。
【請求項６】
前記力率改善部は、前記点灯ブロックに流れる電流の低下量を調整する機能を有する、
請求項１〜５のいずれか一つの点灯装置。
【請求項７】
請求項１〜６のいずれか一つの点灯装置と、
前記点灯装置を保持する器具本体と、
を備える、
照明器具。
【発明の詳細な説明】
【技術分野】
【０００１】
本発明は、点灯装置及び照明器具に関し、特に、交流電源からの電力により光源を点灯させる点灯装置及び照明器具に関する。
【背景技術】
【０００２】
特許文献１は、発光ダイオード（Light Emitting Diode；ＬＥＤ）を光源とするＬＥＤ駆動回路（点灯装置）を開示する。特許文献１のＬＥＤ駆動回路は、照度センサと、センサ用電源回路と、照度レベル検出回路と、輝度設定レジスタと、輝度制御回路と、ＬＥＤ用電源回路とを備える。センサ用電源回路は、該照度センサに電圧を供給する。照度レベル検出回路は、照度センサで得られた照度電圧から照度レベルを検出する。輝度設定レジスタは、該照度レベル検出回路で検出した照度レベルに応じて特定の調光データが選択される。輝度制御回路は、該輝度設定レジスタで選択された調光データに応じて輝度信号を発生する。ＬＥＤ用電源回路は、該輝度制御回路からの輝度信号によってＬＥＤを調光駆動する。
【先行技術文献】
【特許文献】
【０００３】
【特許文献１】特開２００４−２３３５６９号公報
【発明の概要】
【発明が解決しようとする課題】
【０００４】
特許文献１では、外部電源に、ＬＥＤ用電源回路だけではなく、センサ用電源回路も接続されている。従来、このようなセンサ用電源回路の消費電流は、光源用の電源回路の消費電流に比べて小さく、電流のひずみに対する影響は少なかった。しかしながら、近年、光源として良く利用されているＬＥＤは、従来から光源として利用されていた蛍光灯に比べれば、消費電流が小さい。そのため、センサ用電源回路の消費電流の影響が相対的に大きくなり、結果として、ひずみに対する影響が無視できない場合がある。
【０００５】
本発明の課題は、コスト及び消費電力の増加を抑えながらも電流のひずみを低減できる点灯装置及び照明器具を提供することである。
【課題を解決するための手段】
【０００６】
本発明に係る一態様の点灯装置は、交流電源からの電力により光源を点灯させる点灯ブロックを備える。前記点灯ブロックは、整流部と、力率改善部と、変換部と、制御部と、を有する。前記整流部は、前記交流電源の交流電圧を整流するように構成される。前記力率改善部は、前記点灯ブロックに流れる電流の波形が正弦波に近付くように前記整流部の出力電圧の波形を整形するように構成される。前記変換部は、前記力率改善部の出力電圧を直流電圧に変換して出力するように構成される。前記制御部は、前記変換部から出力された直流電圧により前記光源を点灯させるように構成される。前記力率改善部は、前記交流電源に前記点灯ブロックと並列に接続された回路ブロックに前記交流電源から電流が流れている所定期間の間、前記点灯ブロックに流れる電流を低下させる機能を有する。
【０００７】
本発明に係る一態様の照明器具は、上記点灯装置と、当該点灯装置を保持する器具本体と、を備える。
【発明の効果】
【０００８】
本発明に係る態様の点灯装置及び照明器具は、コスト及び消費電力の増加を抑えながらも電流のひずみを低減できるという効果を奏する。
【図面の簡単な説明】
【０００９】
【図１】図１は、実施形態１の点灯装置のブロック図である。
【図２】図２は、実施形態１の点灯装置の点灯ブロックの力率改善部の概略図である。
【図３】図３は、実施形態１の点灯装置の力率改善部の電圧シフト回路の概略図である。
【図４】図４は、実施形態１の点灯装置の動作の説明図である。
【図５】図５は、実施形態１の点灯装置を備える照明器具の斜視図である。
【図６】図６は、実施形態２の点灯装置のブロック図である。
【図７】図７は、実施形態２の点灯装置の制御ブロックの電源部の概略図である。
【図８】図８は、実施形態２の点灯装置の点灯ブロックの力率改善部の電圧シフト回路の概略図である。
【図９】図９は、実施形態２の点灯装置の動作の説明図である。
【図１０】図１０Ａ〜図１０Ｃは、電圧シフト回路の電圧調整回路の変形例である。
【発明を実施するための形態】
【００１０】
１．実施形態
１．１  実施形態１
１．１．１  構成
図１は、本実施形態の点灯装置１０を示す。点灯装置１０は、交流電源４０からの電力により光源２５を点灯させる点灯ブロック２０と、交流電源４０からの電力により動作して点灯ブロック２０を制御する制御ブロック３０を備える。なお、交流電源４０は、一例としては、５０Ｈｚ又は６０Ｈｚの周波数を有する交流電圧を出力する商用交流電源である。
【００１１】
制御ブロック３０は、交流電源４０に点灯ブロック２０と並列に接続された回路ブロックである。制御ブロック３０は、図１に示すように、整流部（第２整流部）３１と、平滑部３２と、変換部（第２変換部）３３と、制御部（第２制御部）３４と、センサ３５と、を備える。制御ブロック３０において、第２整流部３１と、平滑部３２と、第２変換部３３とは、制御ブロック３０の動作電圧を生成する電源部を構成する。
【００１２】
センサ３５は、点灯装置１０の周囲の情報を得るための回路である。例えば、センサ３５としては、人感センサ、及び明るさセンサ等が用いられる。センサ３５が人感センサであれば、センサ３５により、点灯装置１０の周囲にいる人を検知できる。センサ３５が明るさセンサであれば、センサ３５により、点灯装置１０の周囲の明るさを測定できる。センサ３５は、点灯装置１０の周囲の情報を検知情報として取得して、制御部３４に出力する。
【００１３】
整流部３１は、交流電源４０の交流電圧を整流する回路（いわゆる、整流回路）である。より詳細には、整流部３１は、交流電源４０の交流電圧を整流（全波整流）して脈流電圧を生成して平滑部３２に出力する。整流部３１は、例えば、ダイオードブリッジを含む回路である。
【００１４】
平滑部３２は、整流部３１の出力電圧（脈流電圧）を平滑化する回路である。平滑部３２の出力電圧は、変換部３３に入力される。この平滑部３２により、変換部３３が必要とする入力電圧を確保する。平滑部３２は、例えば、整流部３１の出力端子間に電気的に接続されるコンデンサ（例えば電解コンデンサ）を備える。
【００１５】
変換部３３は、平滑部３２の出力電圧を、制御部３４が必要とする電圧（制御ブロック３０の動作電圧）に変換する回路である。変換部３３は、例えば、平滑部３２の出力電圧を元に、直流の動作電圧を生成する。変換部３３は、ＤＣ−ＤＣコンバータである。ＤＣ−ＤＣコンバータとしては、降圧チョッパ回路、昇圧チョッパ回路、及び昇降圧チョッパ回路等が挙げられる。
【００１６】
制御部３４は、変換部３３で生成された動作電圧により所定の動作を実行する回路である。制御部３４は、例えば、動作電圧を利用してセンサ３５を駆動して、センサ３５から検知情報を得る。制御部３４は、センサ３５から得た検知情報に応じて点灯ブロック２０に制御信号を出力する。制御信号の例としては、点灯ブロック２０に光源２５の点灯を指示する点灯信号、点灯ブロック２０に光源２５の消灯を指示する消灯信号、及び、点灯ブロック２０に光源２５の明るさを調整させる調光信号が挙げられる。制御部３４は、例えば、メモリ及びプロセッサを備えるマイクロコントローラで構成される。つまり、プロセッサがメモリに格納されたプログラムを実行することで、マイクロコントローラが制御部３４として機能する。
【００１７】
点灯ブロック２０は、図１に示すように、整流部（第１整流部）２１と、力率改善部２２と、変換部（第１変換部）２３と、制御部（第１制御部）２４と、光源２５と、を備える。
【００１８】
光源２５は、点灯装置１０の周囲を照らすために用いられる。例えば、光源２５としては、複数の発光ダイオード（Light Emitting Diode：ＬＥＤ）で構成された光源装置が用いられる。なお、光源２５は、ＬＥＤを利用した光源装置に限定されず、放電灯（蛍光灯）、白熱灯等であってもよい。
【００１９】
整流部２１は、交流電源４０の交流電圧を整流する回路（いわゆる、整流回路）である。より詳細には、整流部２１は、交流電源４０の交流電圧を整流（全波整流）して脈流電圧を生成して力率改善部２２に出力する。整流部２１は、例えば、ダイオードブリッジを含む回路である。整流部２１は、脈流電圧を出力する一対の出力端子を有しており、その一方が、グラウンドに接続されている。以下、必要に応じて、整流部２１の一対の出力端子のうちグラウンドに接続されているほうを、グラウンド端子という。
【００２０】
力率改善部２２は、交流電源４０に関する力率（Power Factor）を改善するための回路（いわゆる、力率改善回路）である。力率改善部２２は、点灯ブロック２０に流れる電流の波形が正弦波に近付くように整流部２１の出力電圧の波形を整形する。本実施形態において、力率改善部２２は、所定期間の間、点灯ブロック２０に流れる電流を低下させる機能を有する。
【００２１】
力率改善部２２について図２及び図３を参照してさらに詳細に説明する。力率改善部２２は、図２に示すように、波形整形回路２２１と、電圧シフト回路２２２と、を有する。
【００２２】
波形整形回路２２１は、整流部２１の出力電圧に比例する入力電圧に基づいて、点灯ブロック２０に流れる電流の波形が正弦波に近付くように整流部２１の出力電圧の波形を整形する。波形整形回路２２１は、インダクタＬ２２と、ゼロクロス検出回路２２１１と、制御回路２２１２と、第１分圧回路２２１３と、電圧変換回路２２１４と、電流検出用の抵抗Ｒ２３と、第２分圧回路２２１５と、平滑用のコンデンサＣ２１と、を有する。インダクタＬ２２は、ゼロクロス検出用のインダクタである。第１分圧回路２２１３は、抵抗Ｒ２１，Ｒ２２の直列回路であり、整流部２１の一対の出力端子間に電気的に接続されている。第１分圧回路２２１３は、整流部２１の出力電圧を分圧して得られる分圧電圧を、整流部２１の出力電圧に比例する検出電圧Ｖｉｎとして制御回路２２１２に与える。電圧変換回路２２１４は、インダクタＬ２１と、ダイオードＤ２１と、スイッチＳＷ２１と、を含む。電圧変換回路２２１４は、いわゆる昇圧チョッパ回路である。インダクタＬ２１とスイッチＳＷ２１とは直列回路を構成し、整流部２１の一対の出力端子間に、第１分圧回路２２１３と電気的に並列に接続されている。スイッチＳＷ２１は、一例としては、トランジスタ等の半導体スイッチング素子である。ダイオードＤ２１は、アノードが、インダクタＬ２１とスイッチＳＷ２１との接続点に電気的に接続されている。抵抗Ｒ２３は、スイッチＳＷ２１に流れる電流を検出するための抵抗であり、スイッチＳＷ２１と整流部２１のグラウンド端子との間に電気的に接続されている。第２分圧回路２２１５は、抵抗Ｒ２４，Ｒ２５の直列回路であり、ダイオードＤ２１のカソードと整流部２１のグラウンド端子との間に電気的に接続されている。第２分圧回路２２１５は、力率改善部２２の出力電圧を分圧して得られる分圧電圧を、力率改善部２２の出力電圧に比例した検出電圧Ｖｏｕｔとして制御回路２２１２に与える。コンデンサＣ２１は、第２分圧回路２２１５に並列に接続されている。コンデンサＣ２１は、電解コンデンサである。インダクタＬ２２は、電圧変換回路２２１４のインダクタＬ２１に磁気的に結合されている。ゼロクロス検出回路２２１１は、インダクタＬ２２の誘導電圧に基づいて、整流部２１の出力電圧のゼロクロス点を検出するように構成されている。ただし、ゼロクロス検出回路２２１１は厳密な意味でゼロクロス点を検出しているわけではなく、整流部２１の出力電圧が所定の閾値以下になった時点を、ゼロクロス点としている。
【００２３】
制御回路２２１２は、電圧変換回路２２１４のスイッチＳＷ２１を制御することで、力率改善部２２の出力電圧を調整するように構成される。制御回路２２１２は、第１分圧回路２２１３の検出電圧Ｖｉｎ及び第２分圧回路２２１５の検出電圧Ｖｏｕｔに基づいて、スイッチＳＷ２１に流れる電流のピーク値を決定する。ピーク値は、検出電圧Ｖｉｎと検出電圧Ｖｏｕｔとの乗算により求められる。制御回路２２１２は、ゼロクロス検出回路２２１１でゼロクロス点が検出されると、スイッチＳＷ２１をオンとし、スイッチＳＷ２１に流れる電流がピーク値に達するとスイッチＳＷ２１をオフとする。これによって、力率改善部２２に電流の平均値の波形（つまり、点灯ブロック２０に流れる電流の波形）が、正弦波に近付く。
【００２４】
このように、波形整形回路２２１によれば、点灯ブロック２０に流れる電流の波形が、正弦波に近付くため、交流電源４０に関する力率の改善が図れる。しかしながら、点灯装置１０に流れる電流は、点灯ブロック２０に流れる電流と、制御ブロック３０に流れる電流との合計になる。そのため、点灯ブロック２０に流れる電流の波形を正弦波に近付けただけでは、交流電源４０に関する力率の改善が不十分となる可能性がある。制御ブロック３０は、平滑部３２を有している。そのため、制御ブロック３０では、整流部３１の出力電圧が所定値を超えると、平滑部３２のコンデンサに電流が流れる（平滑部３２のコンデンサが充電される）。そのため、図４に示すように、交流電源４０の交流電圧の半周期Ｔｐのうちの一定期間だけ、制御ブロック３０に交流電源４０からの電流Ｉ３０が流れる。概ね、整流部３１の出力電圧が最大値となる近傍で、制御ブロック３０に電流Ｉ３０が流れる。このような電流Ｉ３０の変化は、点灯装置１０による電流のひずみの原因となり得る。
【００２５】
そこで、力率改善部２２は、所定期間Ｔｄ（図４参照）の間、点灯ブロック２０に流れる電流を低下させる機能（電圧シフト機能）を有する。所定期間Ｔｄは、交流電源４０に点灯ブロック２０と並列に接続された回路ブロック（制御ブロック３０）に交流電源４０からの電流Ｉ３０が流れている期間である。特に、所定期間Ｔｄは、交流電源４０からの電流が平滑部３２のコンデンサに流れている期間である。本実施形態では、所定期間Ｔｄは、交流電源４０の交流電圧の半周期Ｔｐに含まれる。
【００２６】
上述の電圧シフト機能は、電圧シフト回路２２２により実現されている。電圧シフト回路２２２は、所定期間Ｔｄの間、検出電圧Ｖｉｎを変化させることで点灯ブロック２０に流れる電流を低下させる。電圧シフト回路２２２は、図３に示すように、電圧調整回路２２２１と、スイッチ制御部２２２２と、メモリ２２２３と、を有する。
【００２７】
電圧調整回路２２２１は、第１分圧回路２２１３の抵抗Ｒ２１，Ｒ２２の接続点と整流部２１のグラウンド端子との間に電気的に接続されている。電圧調整回路２２２１は、スイッチＳＷ２２とツェナーダイオードＺＤ２１との直列回路である。スイッチＳＷ２２は、一例としては、トランジスタ等の半導体スイッチング素子である。ツェナーダイオードＺＤ２１は、カソードがスイッチＳＷ２２を介して、第１分圧回路２２１３の抵抗Ｒ２１，Ｒ２２の接続点に電気的に接続され、アノードが整流部２１のグラウンド端子に電気的に接続されている。電圧調整回路２２２１によれば、スイッチＳＷ２２がオンとなることで、検出電圧ＶｉｎがツェナーダイオードＺＤ２１の降伏電圧より高い場合には、ツェナーダイオードＺＤ２１の降伏電圧まで低下する。
【００２８】
スイッチ制御部２２２２は、スイッチＳＷ２２を制御するように構成される。スイッチ制御部２２２２は、通常は、スイッチＳＷ２２をオフとする。スイッチ制御部２２２２は、所定期間Ｔｄの間、スイッチＳＷ２２をオンとする。メモリ２２２３は、所定期間Ｔｄを特定するための期間情報を記憶する記憶部である。スイッチ制御部２２２２は、メモリ２２２３に記憶された期間情報に基づいて、所定期間Ｔｄを特定するように構成される。期間情報は、所定期間Ｔｄの開始時間と継続時間とを含む。開始点は、交流電源４０の交流電圧が０Ｖになった時点からの時間Ｔｗを示す。継続時間は、所定期間Ｔｄの長さを示す。スイッチ制御部２２２２は、検出電圧Ｖｉｎが０Ｖになってから開始時間が経過すると、継続時間だけスイッチＳＷ２２をオンにする。これによって、電圧シフト回路２２２は、所定期間Ｔｄの間、検出電圧Ｖｉｎを低下させる。検出電圧Ｖｉｎが低下すると、波形整形回路２２１で演算されるピーク値も低下する。その結果、点灯ブロック２０に流れる電流Ｉ２０が低下する。
【００２９】
このように、電圧シフト回路２２２は、交流電源４０に点灯ブロック２０と並列に接続された回路ブロック（制御ブロック３０）に交流電源４０からの電流Ｉ３０が流れている所定期間Ｔｄの間、点灯ブロック２０に流れる電流Ｉ２０を低下させる。そのため、点灯装置１０全体に流れる電流（点灯ブロック２０に流れる電流Ｉ２０と制御ブロック３０に流れる電流Ｉ３０の合計）の波形を、交流電源４０の電流Ｉ４０の波形に近い正弦波に近付けることができる。これによって、電流のひずみを低減できる。したがって、交流電源４０に関する力率（電流歪特性）を改善することができる。
【００３０】
ここで、図４に示すように、点灯ブロック２０に流れる電流Ｉ２０をＩｐからＩｂまで低下させている。整流部２１の出力電圧の最大値に対応する電流Ｉ２０の値がＩｐからＩｂになるように低下量が設定されている。特に、電流Ｉ２０の低下量（Ｉｐ−Ｉｂ）は、所定期間Ｔｄに制御ブロック３０に流れる電流Ｉ３０の最大値Ｉｄ（整流部３１の出力電圧の最大値に対応する値）に等しい。電流Ｉ２０の低下量（Ｉｐ−Ｉｂ）は、検出電圧Ｖｉｎの低下量に依存する。そのため、電圧調整回路２２２１は、電流Ｉ２０の低下量（Ｉｐ−Ｉｂ）が最大値Ｉｄに一致するように、設計されている。これによって、交流電源４０に関する力率のさらなる改善が図れる。
【００３１】
変換部２３は、力率改善部２２（波形整形回路２２１）の出力電圧を、制御部２４が必要とする電圧に変換する回路である。変換部２３は、例えば、力率改善部２２の出力電圧を元に、直流電圧を生成する。変換部２３は、ＤＣ−ＤＣコンバータである。ＤＣ−ＤＣコンバータとしては、降圧チョッパ回路、昇圧チョッパ回路、及び昇降圧チョッパ回路等が挙げられる。
【００３２】
制御部２４は、変換部２３から出力された直流電圧により光源２５を点灯させる回路である。制御部２４は、光源２５の点灯、消灯、及び調光を行う。特に、制御部２４は、制御ブロック３０の制御部３４からの制御信号（点灯信号、消灯信号、調光信号）に応じて、光源２５を制御する。光源２５の制御方法としては、ＰＷＭ制御等が挙げられる。制御部２４は、例えば、メモリ及びプロセッサを備えるマイクロコントローラで構成される。つまり、プロセッサがメモリに格納されたプログラムを実行することで、マイクロコントローラが制御部２４として機能する。
【００３３】
１．１．２  動作
次に、点灯装置１０の動作の一例について図４を参照して簡単に説明する。まず、点灯装置１０が動作を開始すると、力率改善部２２の波形整形回路２２１は、点灯ブロック２０に流れる電流Ｉ２０の波形が正弦波に近付くように整流部２１の出力電圧の波形を整形する。点灯装置１０の動作の開始直後は、制御ブロック３０には電流Ｉ３０が流れていない。交流電源４０の交流電圧が０Ｖである時点から時間Ｔｗが経過して、交流電源４０の交流電圧の絶対値が高くなって整流部３１の出力電圧が所定値を超えると、平滑部３２のコンデンサに電流Ｉ３０が流れ始める。これによって、特定の期間（Ｔｄ）だけ、制御ブロック３０に交流電源４０からの電流Ｉ３０が流れる。同時に、力率改善部２２の電圧シフト回路２２２は、制御ブロック３０に交流電源４０から電流Ｉ３０が流れている所定期間Ｔｄの間、点灯ブロック２０に流れる電流Ｉ２０を低下させる。所定期間Ｔｄの後は、波形整形回路２２１は、再度、点灯ブロック２０に流れる電流Ｉ２０の波形が正弦波に近付くように整流部２１の出力電圧の波形を整形する。
【００３４】
このようにして、点灯ブロック２０は、力率改善部２２により点灯ブロック２０に流れる電流Ｉ２０を低下させて、制御ブロック３０の電流Ｉ３０の増加分を相殺する。これによって、点灯ブロック２０は、点灯装置１０全体の電流の波形が、交流電源４０の電流Ｉ４０の波形に近い正弦波となっている状態を維持する。したがって、点灯装置１０によれば、電流のひずみを低減できる。その結果、交流電源４０に関する力率（電流歪特性）の改善が期待できる。
【００３５】
１．１．３  まとめ
以上述べたように、点灯装置１０は、点灯ブロック２０に流れる電流Ｉ２０の波形が正弦波に近付くように整流部２１の出力電圧の波形を整形する力率改善部２２を備える。力率改善部２２は、交流電源４０に点灯ブロック２０と並列に接続された回路ブロックに交流電源４０から電流Ｉ３０が流れている所定期間Ｔｄの間、点灯ブロック２０に流れる電流を低下させる機能を有する。点灯ブロック２０とは別の回路ブロックに電流が流れている期間は、別の回路ブロックでの消費電流によって、電流のひずみが生じやすいと考えられる。このときに、力率改善部２２により点灯ブロック２０に流れる電流Ｉ２０を低減する。そのため、電流のひずみを低減できる。ここで、電流のひずみを低減する方法としては、制御ブロック３０にも力率改善回路を設けることが考えられる。しかしながら、力率改善回路は、スイッチ及びその制御回路を必要とするから、コスト及び消費電力の増加につながる。一方、制御ブロック３０において、平滑部３２に電流抑制用の抵抗を設ければ、制御ブロック３０に流れる電流Ｉ３０の最大値を小さくでき、これによって、電流のひずみを低減することができる。しかしながら、電流抑制用の抵抗により電力の損失がおき、消費電力の増加につながる。これに対して、点灯装置１０によれば、所定期間Ｔｄの間、点灯ブロック２０に流れる電流を低下させるだけである。したがって、コスト及び消費電力の増加を抑えながらも電流のひずみを低減できる。
【００３６】
また、力率改善部２２は、波形整形回路２２１と、電圧シフト回路２２２と、を有する。波形整形回路２２１は、整流部２１の出力電圧に比例する検出電圧Ｖｉｎに基づいて、点灯ブロック２０に流れる電流Ｉ２０の波形が正弦波に近付くように整流部２１の出力電圧の波形を整形するように構成される。電圧シフト回路２２２は、所定期間Ｔｄの間、検出電圧Ｖｉｎを変化させることで点灯ブロック２０に流れる電流Ｉ２０を低下させるように構成される。そのため、簡易な構成で力率改善部２２を実現でき、コストの増加を抑制できる。
【００３７】
また、点灯装置１０は、回路ブロックとして、交流電源４０からの電力により動作して点灯ブロック２０を制御する制御ブロック３０を更に備える。制御ブロック３０は、交流電源４０からの電力により制御ブロック３０の動作電圧を生成する電源部（３１，３２，３３）を有する。電源部（３１，３２，３３）は、交流電源４０の交流電圧を整流して得られる電圧を平滑化するコンデンサ（平滑部３２）を有する。所定期間Ｔｄは、交流電源４０からの電流Ｉ３０がコンデンサ（平滑部３２）に流れている期間である。このような期間における電流Ｉ３０の発生は電流のひずみの原因になりやすい。当該期間において、力率改善部２２により点灯ブロック２０に流れる電流Ｉ２０を低減すれば、電流のひずみをより低減できる。
【００３８】
また、点灯装置１０は、所定期間Ｔｄを特定するための期間情報を記憶する記憶部（メモリ２２２３）を更に備える。力率改善部２２は、記憶部２２２３に記憶された期間情報に基づいて、所定期間Ｔｄを特定するように構成される。交流電源４０からの電流Ｉ３０がコンデンサ（平滑部３２）に流れている期間は、ランダムではなく、決まったタイミングで発生する。そのため、予め所定期間Ｔｄを特定するための期間情報を記憶部（メモリ２２２３）に格納しておけば、交流電源４０からの電流Ｉ３０がコンデンサ（平滑部３２）に流れている期間を検出するための回路が不要となる。これによって、簡易な構成で所定期間Ｔｄを決定でき、コストの増加を抑制できる。
【００３９】
１．１．４  照明器具
以上述べた本実施形態の点灯装置１０は、図５に示すような照明器具１００に備えられる。照明器具１００は、例えば、建物の避難経路となる階段の踊り場の壁面に設置される照明器具（いわゆる階段通路誘導灯）である。照明器具１００は、図５に示すように、点灯装置１０と、点灯装置１０を保持する器具本体１１０を備える。特に、器具本体１１０は、長尺状である。点灯装置１０の光源２５は、器具本体１１０の長手方向の中央部に配置され、点灯装置１０のセンサ３５は、器具本体１１０の長手方向の中央部において、その短手方向の一面に配置されている。照明器具１００では、センサ３５で人を検知した際に、光源２５を点灯することができる。このような照明器具１００は、点灯装置１０を備えているから、コストの増加を抑えながらも電流のひずみを低減できる。
【００４０】
１．２  実施形態２
１．２．１  構成
図６は、実施形態２の点灯装置１０Ａを示す。点灯装置１０Ａは、点灯ブロック２０Ａと、制御ブロック３０Ａと、を備える。
【００４１】
制御ブロック３０Ａは、整流部３１と、平滑部３２と、変換部３３と、制御部３４と、センサ３５と、検出部３６と、を有する。検出部３６は、図７に示すように、電流検出用の抵抗Ｒ３１と、検出回路３６１とを有する。抵抗Ｒ３１は、整流部３１と平滑部３２との間に電気的に接続されている。検出回路３６１は、抵抗Ｒ３１の両端間の電圧に基づいて、平滑部（コンデンサ）３２に流れる電流Ｉ３０を検出するように構成される。検出回路３６１は、抵抗Ｒ３１の両端間の電圧が閾値を超えると、平滑部３２に電流Ｉ３０が流れていると判断する。検出回路３６１は、平滑部３２に電流Ｉ３０が流れている間、点灯ブロック２０Ａの力率改善部２２Ａの電圧シフト回路２２２Ａに、検出信号Ｓ３０を出力するように構成される（図９参照）。つまり、検出部３６は、交流電源４０からの電流Ｉ３０が平滑部３２に流れている期間である所定期間Ｔｄを、検出信号Ｓ３０により通知する。なお、抵抗Ｒ３１の抵抗値は、制御ブロック３０Ａに流れる電流を過剰に抑制しないように選択される。特に、抵抗Ｒ３１の抵抗値は、一般的に、電流の抑制に使用される抵抗の抵抗値よりも小さい値に設定されることが好ましい。
【００４２】
点灯ブロック２０Ａは、整流部２１と、力率改善部２２Ａと、変換部２３と、制御部２４と、光源２５と、を有する。力率改善部２２Ａは、波形整形回路２２１と、電圧シフト回路２２２Ａと、を有する。電圧シフト回路２２２Ａでは、図８に示すように、スイッチ制御部２２２２は、検出回路３６１から検出信号Ｓ３０を受け取るように構成される。スイッチ制御部２２２２は、検出回路３６１から受け取った検出信号Ｓ３０に基づいて、スイッチＳＷ２２を制御する。より詳細には、スイッチ制御部２２２２は、検出回路３６１から検出信号Ｓ３０を受け取っている間は、スイッチＳＷ２２をオンにする。これによって、スイッチ制御部２２２２は、所定期間Ｔｄの間、スイッチＳＷ２２をオンに維持する。このように、力率改善部２２Ａは、検出部３６で電流Ｉ３０が検出されている期間に基づいて、所定期間Ｔｄを特定するように構成される。なお、本実施形態では、スイッチ制御部２２２２は、検出電圧Ｖｉｎが０Ｖになる時点を検出する必要がない。
【００４３】
１．２．２  動作
次に、点灯装置１０Ａの動作の一例について図９を参照して簡単に説明する。まず、点灯装置１０Ａが動作を開始すると、力率改善部２２Ａの波形整形回路２２１は、点灯ブロック２０Ａに流れる電流Ｉ２０の波形が正弦波に近付くように整流部２１の出力電圧の波形を整形する。点灯装置１０Ａの動作の開始直後は、制御ブロック３０には電流Ｉ３０が流れていない。そして、平滑部３２に電流Ｉ３０が流れ始めて抵抗Ｒ３１の両端間の電圧が閾値を超えると、検出回路３６１は、電圧シフト回路２２２Ａへの検出信号Ｓ３０の出力を開始する（時刻Ｔ１）。電圧シフト回路２２２Ａは、検出回路３６１から検出信号Ｓ３０を受け取ると、スイッチＳＷ２２をオンにし、点灯ブロック２０に流れる電流Ｉ２０を低下させる。この後、所定期間Ｔｄが経過すると、平滑部３２に電流Ｉ３０が流れなくなって抵抗Ｒ３１の両端間の電圧が閾値以下になり、検出回路３６１は、検出信号Ｓ３０の出力を停止する（時刻Ｔ２）。電圧シフト回路２２２Ａは、検出回路３６１から検出信号Ｓ３０を受け取らなくなることから、スイッチＳＷ２２をオフにする。その後、波形整形回路２２１は、再度、点灯ブロック２０Ａに流れる電流Ｉ２０の波形が正弦波に近付くように整流部２１の出力電圧の波形を整形する。このようにして、点灯ブロック２０Ａは、力率改善部２２Ａにより点灯ブロック２０Ａに流れる電流Ｉ２０を低下させて、制御ブロック３０Ａの電流Ｉ３０の増加分を相殺する。これによって、点灯ブロック２０Ａは、点灯装置１０Ａ全体の電流の波形が交流電源４０の電流Ｉ４０の波形に近い正弦波となっている状態を維持する。したがって、点灯装置１０Ａによれば、電流のひずみを低減できる。その結果、交流電源４０に関する力率（電流歪特性）を改善することができる。
【００４４】
１．２．３  まとめ
以上述べたように、点灯装置１０Ａは、点灯装置１０と同様に、電流のひずみを低減できる。特に、点灯装置１０Ａでは、制御ブロック３０Ａは、交流電源４０からコンデンサ（平滑部３２）に流れる電流Ｉ３０を検出する検出部３６を更に有する。力率改善部２２Ａは、検出部３６で電流Ｉ３０が検出されている期間に基づいて、所定期間Ｔｄを特定するように構成される。この場合、実際に交流電源４０からコンデンサ（平滑部３２）に電流Ｉ３０が流れている間に、点灯ブロック２０Ａに流れる電流Ｉ２０を低下させることが可能になる。そのため、電流のひずみを確実に低減できる。
【００４５】
ところで、実施形態１では、制御ブロック３０の構成にかかわらず、力率改善部２２は、メモリ２２２３に記憶された期間情報に従って、電圧シフト機能を発揮する。一方、本実施形態では、制御ブロック３０Ａの代わりに、実施形態１の制御ブロック３０が用いられた場合、点灯ブロック２０Ａの電圧シフト回路２２２Ａは、検出信号Ｓ３０を受け取れない。そのため、力率改善部２２Ａは、上述の電圧シフト機能を発揮できない。そのため、制御ブロックに検出部３６を設けるかどうかによって、力率改善部２２Ａが電圧シフト機能を発揮するかどうかを決定できる。例えば、制御ブロックの電流のひずみに対する影響を無視できない場合には、制御ブロックに検出部３６を設ければよい。この場合、力率改善部２２Ａが電圧シフト機能を発揮して、電流のひずみを低減できる。一方、制御ブロックの電流のひずみに対する影響を無視できる場合には、制御ブロックに検出部３６を設けなければ、力率改善部２２Ａが電圧シフト機能を発揮しない。よって、力率改善部２２Ａを、制御ブロックが異なる点灯装置１０に共通して用いることができる。
【００４６】
なお、本実施形態の点灯装置１０Ａも、点灯装置１０と同様に、図５に示すような照明器具１００に備えられ得る。
【００４７】
２．変形例
本発明の実施形態は、上記実施形態に限定されない。上記実施形態は、本発明の目的を達成できれば、設計等に応じて種々の変更が可能である。以下に、上記実施形態の変形例を列挙する。
【００４８】
例えば、図１０Ａ〜図１０Ｃは、実施形態１，２における電圧調整回路２２２１の変形例を示す。
【００４９】
図１０Ａに示す電圧調整回路２２２１Ｂは、ダイオードの電圧降下を利用して、検出電圧Ｖｉｎを低下させる。電圧調整回路２２２１Ｂは、ダイオードＤ２２，Ｄ２３及びスイッチＳＷ２３，ＳＷ２４を有する。ダイオードＤ２２は、アノードが第１分圧回路２２１３の抵抗Ｒ２１，Ｒ２２の接続点（図２参照）に電気的に接続され、カソードが、ダイオードＤ２３のアノードに電気的に接続されている。ダイオードＤ２３は、カソードが整流部２１のグラウンド端子に電気的に接続されている。スイッチＳＷ２３は、ダイオードＤ２２のアノードと制御回路２２１２との間に電気的に接続されている。また、スイッチＳＷ２４は、ダイオードＤ２３のアノードと制御回路２２１２との間に電気的に接続されている。電圧調整回路２２２１Ｂの場合、スイッチ制御部２２２２は、点灯ブロック２０（２０Ａ）に流れる電流Ｉ２０を低下させない場合は、スイッチＳＷ２３をオン、スイッチＳＷ２４をオフとする。スイッチ制御部２２２２は、点灯ブロック２０（２０Ａ）に流れる電流Ｉ２０を低下させる場合は、スイッチＳＷ２３をオフ、スイッチＳＷ２４をオンとする。このとき、ダイオードＤ２２の電圧降下によって、検出電圧Ｖｉｎが低下する。なお、電圧調整回路２２２１Ｂでは、ダイオードとスイッチのペアをさらに有していてもよい。この場合、スイッチを介して制御回路２２１２に接続されるダイオードの数を変更できる。これによって、力率改善部２２（２２Ａ）は、点灯ブロック２０（２０Ａ）に流れる電流Ｉ２０の低下量を調整する機能を有することができる。この場合には、制御ブロック３０（３０Ａ）に応じて適切な電流Ｉ２０の低下量を設定できるから、電流のひずみをさらに低減できる。
【００５０】
図１０Ｂに示す電圧調整回路２２２１Ｃは、トランジスタの電圧降下及びツェナーダイオードの降伏電圧を利用して、検出電圧Ｖｉｎを低下させる。電圧調整回路２２２１Ｃは、抵抗Ｒ２６、ツェナーダイオードＺＤ２２、トランジスタＴｒ２１、スイッチＳＷ２５，ＳＷ２６を有する。ツェナーダイオードＺＤ２２は、アノードが整流部２１のグラウンド端子に電気的に接続され、カソードが抵抗Ｒ２６を介して第１分圧回路２２１３の抵抗Ｒ２１，Ｒ２２の接続点（図２参照）に電気的に接続されている。また、抵抗Ｒ２６は、トランジスタＴｒ２１のベース−コレクタ間に電気的に接続されている。スイッチＳＷ２５は、抵抗Ｒ２１，Ｒ２２の接続点と制御回路２２１２との間に電気的に接続されている。また、スイッチＳＷ２６は、トランジスタＴｒ２１のエミッタと制御回路２２１２との間に電気的に接続されている。電圧調整回路２２２１Ｃの場合、スイッチ制御部２２２２は、点灯ブロック２０（２０Ａ）に流れる電流Ｉ２０を低下させない場合は、スイッチＳＷ２５をオン、スイッチＳＷ２６をオフとする。スイッチ制御部２２２２は、点灯ブロック２０（２０Ａ）に流れる電流Ｉ２０を低下させる場合は、スイッチＳＷ２５をオフ、スイッチＳＷ２６をオンとする。このとき、ツェナーダイオードＺＤ２２の降伏電圧及びトランジスタＴｒ２１の電圧降下によって、検出電圧Ｖｉｎが低下する。なお、電圧調整回路２２２１Ｃは、ツェナーダイオードＺＤ２２の代わりにシャントレギュレータを有していてもよい。この場合、検出電圧Ｖｉｎの低下量の精度を向上させることができる。
【００５１】
図１０Ｃに示す電圧調整回路２２２１Ｄは、電圧レギュレータＲＧ２１を利用して、検出電圧Ｖｉｎを低下させる。電圧調整回路２２２１Ｄは、電圧レギュレータＲＧ２１及びスイッチＳＷ２７，ＳＷ２８を有する。電圧レギュレータＲＧ２１は、入力端子が第１分圧回路２２１３の抵抗Ｒ２１，Ｒ２２の接続点（図２参照）に電気的に接続されている。スイッチＳＷ２７は、抵抗Ｒ２１，Ｒ２２の接続点と制御回路２２１２との間に電気的に接続されている。また、スイッチＳＷ２８は、電圧レギュレータＲＧ２１の出力端子と制御回路２２１２との間に電気的に接続されている。電圧調整回路２２２１Ｄの場合、スイッチ制御部２２２２は、点灯ブロック２０（２０Ａ）に流れる電流Ｉ２０を低下させない場合は、スイッチＳＷ２７をオン、スイッチＳＷ２８をオフとする。スイッチ制御部２２２２は、点灯ブロック２０（２０Ａ）に流れる電流Ｉ２０を低下させる場合は、スイッチＳＷ２７をオフ、スイッチＳＷ２８をオンとする。このとき、検出電圧Ｖｉｎの代わりに、電圧レギュレータＲＧ２１の出力電圧が電圧調整回路２２２１に与えられる。よって、検出電圧Ｖｉｎを電圧レギュレータＲＧ２１の出力電圧まで低下させることができる。
【００５２】
例えば、実施形態１では、点灯ブロック２０が、所定期間（Ｔｄ）を特定するための期間情報を記憶する記憶部（２２２３）を備えている。しかしながら、このような記憶部（２２２３）は、制御ブロック３０が備えていてもよい。この場合、制御ブロック３０から点灯ブロック２０に期間情報が与えられる。この場合、制御ブロック３０毎に適切な期間情報を与えることができる。例えば、制御ブロック３０を交換した場合でも、所定期間Ｔｄが交換後の制御ブロック３０に適した期間に設定され得る。
【００５３】
なお、所定期間Ｔｄは、交流電源４０に点灯ブロック２０，２０Ａと並列に接続された回路ブロック（制御ブロック３０，３０Ａ）に交流電源４０から電流Ｉ３０が流れている期間の全体であることが好ましいが、必ずしも期間の全体と一致している必要はない。所定期間Ｔｄが回路ブロック（制御ブロック３０，３０Ａ）に交流電源４０から電流Ｉ３０が流れている期間と部分的にでも重複していれば、電流のひずみを低減でき得る。特に、実施形態１，２では、所定期間Ｔｄは、交流電源４０からの電流Ｉ３０がコンデンサ３２に流れている期間であるが、特に限定されない。要するに、回路ブロックに電流が流れることで、電流のひずみが発生する場合には、このタイミングに合わせて、力率改善部２２（２２Ａ）が点灯ブロック２０（２０Ａ）の電流Ｉ２０を低下させればよい。また、電流Ｉ２０の低下量（Ｉｐ−Ｉｂ）は、所定期間Ｔｄに制御ブロック３０に流れる電流Ｉ３０の最大値Ｉｄと必ずしも一致している必要はない。電流Ｉ２０の低下量（Ｉｐ−Ｉｂ）は、電流のひずみを低減できれば、特に限定されない。
【００５４】
なお、変形例では、点灯装置１０，１０Ａは、光源２５及びセンサ３５を構成要素として含んでいなくてもよい。また、整流部２１及び整流部３１の構成は一例であって、等価な回路に変更可能である。同様に、変換部２３及び変換部３３の構成は一例であって、等価な回路に変更可能である。また、制御部２４及び制御部３４の動作は一例であって、適宜変更可能である。
【００５５】
また、照明器具１００は、階段通路誘導灯に限定されず、街路灯や、室内灯など様々な用途の照明器具であってよい。
【００５６】
３．態様
以上説明した実施形態及び変形例から明らかなように、第１の態様の点灯装置（１０；１０Ａ）は、交流電源（４０）からの電力により光源（２５）を点灯させる点灯ブロック（２０；２０Ａ）を備える。前記点灯ブロック（２０；２０Ａ）は、整流部（２１）と、力率改善部（２２；２２Ａ）と、変換部（２３）と、制御部（２４）と、を有する。前記整流部（２１）は、前記交流電源（４０）の交流電圧を整流するように構成される。前記力率改善部（２２；２２Ａ）は、前記点灯ブロック（２０；２０Ａ）に流れる電流（Ｉ２０）の波形が正弦波に近付くように前記整流部（２１）の出力電圧の波形を整形するように構成される。前記変換部（２３）は、前記力率改善部（２２；２２Ａ）の出力電圧を直流電圧に変換して出力するように構成される。前記制御部（２４）は、前記変換部（２３）から出力された直流電圧により前記光源（２５）を点灯させるように構成される。前記力率改善部（２２；２２Ａ）は、所定期間（Ｔｄ）の間、前記点灯ブロック（２０；２０Ａ）に流れる電流を低下させる機能を有する。前記所定期間（Ｔｄ）は、前記交流電源（４０）に前記点灯ブロック（２０；２０Ａ）と並列に接続された回路ブロックに前記交流電源（４０）から電流（Ｉ３０）が流れている期間である。第１の態様によれば、コスト及び消費電力の増加を抑えながらも電流のひずみを低減できる。
【００５７】
第２の態様の点灯装置（１０；１０Ａ）は、第１の態様との組み合わせにより実現され得る。第２の態様では、前記力率改善部（２２；２２Ａ）は、波形整形回路（２２１）と、電圧シフト回路（２２２；２２２Ａ）と、を有する。前記波形整形回路（２２１）は、前記整流部（２１）の出力電圧に比例する検出電圧（Ｖｉｎ）に基づいて前記点灯ブロック（２０；２０Ａ）に流れる電流（Ｉ２０）の波形が正弦波に近付くように前記整流部（２１）の出力電圧の波形を整形するように構成される。前記電圧シフト回路（２２２；２２２Ａ）は、前記所定期間（Ｔｄ）の間、前記検出電圧（Ｖｉｎ）を変化させることで前記点灯ブロック（２０；２０Ａ）に流れる電流（Ｉ２０）を低下させるように構成される。第２の態様によれば、簡易な構成で力率改善部（２２）を実現でき、コストの増加を抑制できる。
【００５８】
第３の態様の点灯装置（１０）は、第１又は第２の態様との組み合わせにより実現され得る。第３の態様では、前記点灯装置（１０）は、前記回路ブロックとして、前記交流電源（４０）からの電力により動作して前記点灯ブロック（２０；２０Ａ）を制御する制御ブロック（３０；３０Ａ）を更に備える。前記制御ブロック（３０；３０Ａ）は、前記交流電源（４０）からの電力により前記制御ブロック（３０；３０Ａ）の動作電圧を生成する電源部（３１，３２，３３）を有する。前記電源部（３１，３２，３３）は、前記交流電源（４０）の交流電圧を整流して得られる電圧を平滑化するコンデンサ（３２）を有する。前記所定期間（Ｔｄ）は、前記交流電源（４０）からの電流（Ｉ３０）が前記コンデンサ（３２）に流れている期間である。第３の態様によれば、電流のひずみをより低減できる。
【００５９】
第４の態様の点灯装置（１０）は、第１〜第３の態様のいずか一つとの組み合わせにより実現され得る。第４の態様では、前記点灯装置（１０）は、前記所定期間（Ｔｄ）を特定するための期間情報を記憶する記憶部（２２２３）を更に備える。前記力率改善部（２２）は、前記記憶部（２２２３）に記憶された期間情報に基づいて、前記所定期間（Ｔｄ）を特定するように構成される。第４の態様によれば、簡易な構成で所定期間（Ｔｄ）を決定でき、コストの増加を抑制できる。
【００６０】
第５の態様の点灯装置（１０Ａ）は、第３の態様との組み合わせにより実現され得る。第５の態様では、前記制御ブロック（３０Ａ）は、前記交流電源（４０）から前記コンデンサ（３２）に流れる電流（Ｉ３０）を検出する検出部（３６）を更に有する。前記力率改善部（２２Ａ）は、前記検出部（３６）で前記電流（Ｉ３０）が検出されている期間に基づいて、前記所定期間（Ｔｄ）を特定するように構成される。第５の態様によれば、電流のひずみを確実に低減できる。
【００６１】
第６の態様の点灯装置（１０；１０Ａ）は、第１〜第５の態様のいずか一つとの組み合わせにより実現され得る。第６の態様では、前記力率改善部（２２；２２Ａ）は、前記点灯ブロック（２０；２０Ａ）に流れる電流の低下量を調整する機能を有する。第６の態様によれば、電流のひずみをより低減できる。
【００６２】
第７の態様の照明器具（１００）は、第１〜第６の態様のいずか一つの点灯装置（１０；１０Ａ）と、前記点灯装置（１０；１０Ａ）を保持する器具本体（１１０）と、を備える。第７の態様によれば、コスト及び消費電力の増加を抑えながらも電流のひずみを低減できる。
【符号の説明】
【００６３】
１０，１０Ａ  点灯装置
２０，２０Ａ  点灯ブロック
２１  整流部
２２，２２Ａ  力率改善部
２２１  波形整形回路
２２２  電圧シフト回路
２２２３  メモリ（記憶部）
２３  変換部
２４  制御部
２５  光源
３０，３０Ａ  制御ブロック
３２  平滑部（コンデンサ）
３６  検出部
４０  交流電源
１００  照明器具
１１０  器具本体
Ｉ２０  電流
Ｉ３０  電流
Ｔｄ  所定期間
Ｖｉｎ  検出電圧
【図１】
2018170135.tif 000003
【図２】
2018170135.tif 000004
【図３】
2018170135.tif 000005
【図４】
2018170135.tif 000006
【図５】
2018170135.tif 000007
【図６】
2018170135.tif 000008
【図７】
2018170135.tif 000009
【図８】
2018170135.tif 000010
【図９】
2018170135.tif 000011
【図１０】
2018170135.tif 000012